(57)【要約】【課題】装飾図片を磨耗から永久に保護するゴルフクラブのグリップ構造を提供する。      【解決手段】ゴルフクラブのグリップ構造は、グリップ本体、装飾図片及び透明カバーから構成される。グリップ本体上には嵌置槽を成形し、装飾図片を嵌置槽に置き、透明カバーを嵌置槽の槽口箇所に被せて装飾図片を覆う。本考案は装飾図片単独で製作するため、色鮮やかなものや奇抜な図案、もしくは人物写真や商標図案等を直接デザインし、その装飾図片は公知の金型で成形した隠し紋と比較して装飾性が高められ、商標も更に突出し、透明カバーの保護によって装飾図片は永久に磨耗されずに、装飾効果を保つ。【選択図】図１
0003126484.tif 000002
【実用新案登録請求の範囲】
【請求項１】
主にグリップ本体、装飾図片及び透明カバーから構成されたゴルフクラブのグリップ構造において、
グリップ本体上に嵌置槽を成形し、装飾図片を嵌置槽内に置き、透明カバーで嵌置槽の槽口箇所に被せて装飾図片を覆うことを特徴とするゴルフクラブのグリップ構造。
【請求項２】
前記嵌置槽は、グリップ本体上の頚縮段に成形し、装飾図片は嵌置槽内に置き、管状の透明カバーは装飾図片上に被せることを特徴とする請求項１記載のゴルフクラブのグリップ構造。
【請求項３】
前記透明カバーは、その表面とグリップ本体の表面が平らであることを特徴とする請求項１記載のゴルフクラブのグリップ構造。
【請求項４】
前記嵌置槽は、グリップ本体上の太い径段上に成形し、太い径段の端に近い位置には頚縮段が形成されることを特徴とする請求項２記載のゴルフクラブのグリップ構造。
【考案の詳細な説明】
【技術分野】
【０００１】
本考案は、ゴルフクラブのグリップ構造に関するもので、装飾図片が色鮮やかなもの、図案の奇抜なもの、もしくは人物写真、商標図案等を直接デザインでき、装飾性を高め、商標が更に突出し、透明カバーの保護により、装飾図片を磨耗から永久に保護するものである。
【背景技術】
【０００２】
現在、ゴルフクラブのグリップ表面の模様図案と商標は、すべて金型によって直接成形され、金型上で模様や商標をデザインし、金型を加工して模様と商標をグリップの表面にプリントする。形成した図案と商標はグリップ表面の凹凸紋であり、図案の主な目的はグリップの摩擦を高め、球を打った時の滑りを防止するものである。
【考案の開示】
【考案が解決しようとする課題】
【０００３】
解決しようとする問題点は、使用することによって図案の色が摩擦によって剥がれてしまう点である。
【課題を解決するための手段】
【０００４】
本考案は、グリップ本体、装飾図片及び透明カバーから構成される。グリップ本体上には嵌置槽を成形し、装飾図片を嵌置槽に置き、透明カバーを嵌置槽の槽口箇所に被せて装飾図片を覆うことを最も主要な特徴とする。
【考案の効果】
【０００５】
本考案のゴルフクラブのグリップ構造は、金型により、先ずグリップ本体上に嵌置槽を成形し、装飾図片を嵌置槽内に置き、透明カバーで装飾図片を固定して嵌置槽内に覆う。装飾図片を単独に作成するため、色鮮やかなものや図案の奇抜なもの、もしくは人物写真、商標図案等を直接デザインできる。装飾図片はプリント方式で作成し、この装飾図片は、公知の技術で成形した隠し紋と比較して装飾性を高め、商標が更に突出し、透明カバーの保護により、装飾図片を磨耗から永久に保護するという利点がある。
【考案を実施するための最良の形態】
【０００６】
本考案の目的は、ゴルフクラブのグリップ構造を提供することである。
【０００７】
上述の目的のため、本考案は、グリップ本体、装飾図片及び透明カバーを含み、グリップ本体上に嵌置槽を成形し、装飾図片を嵌置槽に置き、透明カバーを嵌置槽の槽口箇所に被せて装飾図片を覆う。
嵌置槽はグリップ本体上の頚縮段で形成され、装飾図片を嵌置槽内に置いて管状の透明カバーを装飾図片上に被せる。
透明カバーの表面と、グリップ本体の表面は平らである。
嵌置槽は、グリップ本体上の太い径段に成形し、太い径段の端に近い位置に頚縮段が形成される。  
【実施例１】
【０００８】
図１と図２は本考案の第一実施例で、グリップ本体１と装飾図片２及び透明カバー３から構成される。この実施例はグリップ本体１上に嵌置槽１１を成形し、その嵌置槽１１は平底辺の頚縮段とする。この頚縮段はグリップ本体１の太い部分の端に近い位置に形成し、装飾片２を嵌置槽１１内に置く。透明カバー３は管形状で、透明カバー３を嵌置槽１１の槽口箇所に被せ、装飾図片２を覆い、グリップ完成品は、透明カバー３の表面とグリップ本体１の表面が平らになるようにするのが、望ましい。
【０００９】
図３に示すとおり、この実施例の加工時、グリップ本体１を端と套筒管の左右対称の二片に分け、全部で三片のゴム材を金型４に置き、加熱硫化定型する。突起部分４１を具えた金型４が嵌置槽１１を形成する。この加工方式は端と套筒管を同じ色にデザインするもので、この実施例１では端と套筒管は同じ色でグリップ本体１は単色である。勿論、端と套筒管を異なる二色の色でデザインしても良い。
【実施例２】
【００１０】
図４，図５に示すのは、実施例２であり、グリップ本体１、装飾図片２及び透明カバー３から構成される。この実施例２はグリップ本体１上に嵌置槽１１を成形し、その嵌置槽１１は斜め底辺の頚縮段とする。この頚縮段はグリップ本体１の太い部分の端に近い位置に形成し、装飾片２は嵌置槽１１内に置く。透明カバー３は管形状で、透明カバー３を嵌置槽１１の槽口箇所に被せ、装飾図片２を覆う。この実施例が実施例１と異なる箇所は、嵌置槽１１(頚縮段)の底辺が斜めであることで（図７，８参照）、実施例１の嵌置槽１１(頚縮段)の底辺は平らである(図２参照)。
【００１１】
図６に示すとおり、この実施例２を加工する時、その加工方式は、実施例１と同じである。ただこの実施例の嵌置槽１１底辺が斜めであり、実施例１の嵌置槽１１底辺が平らであるため、金型上には嵌置槽１１の突起部分４１の形状が異なるものを用いる。
【００１２】
図１，４に示すとおり、本考案のゴルフクラブのグリップ構造は、主にグリップ本体１上に形成する嵌置槽１１を改善したもので、装飾図片２を嵌置槽１１内に置き、透明カバー３を嵌置槽１１の槽口箇所に被せ、装飾図片２を覆う。このようにして装飾図片２を色鮮やかなもの、図案の凝ったもの、もしくは人物写真や商標図案等をデザインでき、プリント方式によって装飾図片２を作る。この装飾図片２と現在の技術内の金型に依る隠し紋を比較すると、装飾性が高く、商標も更に突出し、透明カバー３によって保護されるため、装飾図片２を永久に磨耗させない。
【００１３】
グリップ本体１は、単色、二色、三色にして、表面の模様は斜め紋もしくは直紋。ゴム材の中に綿糸を加えることもできる。加工方式は嵌置槽１１と装飾図片２をグリップ本体１のどの位置に設置するか（太い径段もしくは細い径段あるいは端）。透明カバー３はどの材質を使うか、透明カバー３はグリップ本体と分けて成形するか、グリップ本体１上に直接被せるか、もしくは透明カバー３を二回硫化してグリップ本体１に一体成型するか．．．等は、すべて本考案の保護に影響されず、各種具体的な実施例はすべて本考案の保護範囲に属する。
【図面の簡単な説明】
【００１４】
【図１】本考案の実施例の立体分解図である。
【図２】本考案の実施例の組立指示図である。
【図３】本考案の実施例の加工指示図である。
【図４】本考案の第二実施例の立体分解図である。
【図５】本考案の第二実施例の組立指示図である。
【図６】本考案の第二実施例の加工指示図である。
【図７】本考案の第二実施例の正面断面図である。
【図８】本考案の第二実施例の側面断面図である。
【符号の説明】
【００１５】
１        グリップ本体
１１        嵌置槽
２        装飾図片
３        透明カバー
４        金型
４１        突起部分
【図１】
0003126484.tif 000003
【図２】
0003126484.tif 000004
【図３】
0003126484.tif 000005
【図４】
0003126484.tif 000006
【図５】
0003126484.tif 000007
【図６】
0003126484.tif 000008
【図７】
0003126484.tif 000009
【図８】
0003126484.tif 000010